(57)【要約】【課題】金属パネル部分に開口部を設けて意匠を施すとともに、このような意匠を施した門扉を容易に製造する。【解決手段】間隔をおいて対向する表裏２枚の金属パネルを有する門扉において、前記２枚の金属パネルの対向する位置にスリットを形成することによって、前記門扉に開口部を形成した。前記開口部の内周は、前記２枚の金属パネルの内側に設けられた額縁部材によってカバーした。前記額縁部材は、２本の柱状部材と、この２本の柱状部材の両端を連結する２つの連結部材と、からなり、前記額縁部材の前記２枚の金属パネルに対面する側面には連続した溝部を形成した。前記金属パネルは、前記スリットの内周縁を内側に立ち上げて起立縁を形成し、この起立縁が前記溝部に挿入されるようにした。【選択図】図６
2011196028.tif 000002
【特許請求の範囲】
【請求項１】
間隔をおいて対向する表裏２枚の金属パネルを有し、
前記２枚の金属パネルの対向する位置にスリットが形成されることによって開口部が形成されており、
前記開口部の内周は、前記２枚の金属パネルの内側に設けられた額縁部材によってカバーされており、
前記額縁部材は、２本の柱状部材と、この２本の柱状部材の両端を連結する２つの連結部材と、からなるとともに、前記額縁部材の前記２枚の金属パネルに対面する側面には連続した溝部が形成され、
前記金属パネルは、前記スリットの内周縁が内側に立ち上げられて起立縁を形成しており、この起立縁が前記溝部に挿入されていることを特徴とする、門扉。
【発明の詳細な説明】
【技術分野】
【０００１】
この発明は、間隔をおいて対向する表裏２枚の金属パネルを備えた門扉に関するものである。
【背景技術】
【０００２】
従来、道路と敷地とを仕切るエクステリア商品として様々な門扉が提案されている。
【０００３】
例えば、こうした門扉として、本出願人は、特許文献１のような門扉を提案した。すなわち、間隔をおいて対向した表裏２枚の金属パネルの左右両側部の内側に縦框を配置し、上記金属パネルの側端部を上記縦框の外側縁に沿って折り曲げ、かつ上記縦框の外側面には上記金属パネルの側端部の上から戸当り又は框カバーを取り付ける一方、上記金属パネルの上下端部を内側に折り曲げて互いに係合させ、上記金属パネルの上部端面と側端部の上端との間に形成された隙間をキャップで覆うとともに、内部に形成された空間部内に発泡体からなる芯材を収納する門扉を提案した。
【０００４】
このような門扉によれば、框が外部に露出しないので、見掛け上は全体が１枚のパネルのように見え、主に玄関用扉とコーディネートすることができる。
【先行技術文献】
【特許文献】
【０００５】
【特許文献１】特開２００６−２５７７９９号公報
【発明の概要】
【発明が解決しようとする課題】
【０００６】
しかし、上記した特許文献１記載の門扉では、金属パネル部分の意匠性は特に考慮されていなかった。
【０００７】
そこで、本発明は、金属パネル部分に開口部を設けて意匠を施すとともに、このような意匠を施した門扉を容易に製造することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の門扉は、間隔をおいて対向する表裏２枚の金属パネルを有し、前記２枚の金属パネルの対向する位置にスリットが形成されることによって開口部が形成されており、前記開口部の内周は、前記２枚の金属パネルの内側に設けられた額縁部材によってカバーされており、前記額縁部材は、２本の柱状部材と、この２本の柱状部材の両端を連結する２つの連結部材と、からなるとともに、前記額縁部材の前記２枚の金属パネルに対面する側面には連続した溝部が形成され、前記金属パネルは、前記スリットの内周縁が内側に立ち上げられて起立縁を形成しており、この起立縁が前記溝部に挿入されていることを特徴とする。
【発明の効果】
【００１１】
請求項１に記載の発明は上記の通りであり、開口部の内周をカバーする額縁部材を設け、この額縁部材の溝部に金属パネルの起立縁を挿入することとしたため、開口部による意匠効果を得られる。
【００１２】
しかも、額縁部材を、２本の柱状部材と、この２本の柱状部材の両端を連結する２つの連結部材と、で構成し、この額縁部材の２枚の金属パネルに対面する側面には連続した溝部を形成することとしたため、額縁部材を一体成型する必要がなく、加工を容易とすることができる。また、額縁部材の加工が容易であるため、開口部の形状も自由に設定することができ、より意匠性の高い門扉を安価に製造することができる。
【図面の簡単な説明】
【００１３】
【図１】本発明の実施の形態であって、門扉の外観図である。
【図２】本発明の実施の形態であって、柱状部材と連結部材とを連結した額縁部材の斜視図である。
【図３】本発明の実施の形態であって、門扉の開口部付近の一部拡大横断面図である。
【図４】本発明の実施の形態であって、額縁部材を構成する連結部材の側面図である。
【図５】本発明の実施の形態であって、柱状部材と連結部材とを連結する様子を示す説明図である。
【図６】本発明の実施の形態であって、門扉の組み立て方を説明するための図であり、額縁部材を配置する手順を示す説明図である。
【図７】本発明の実施の形態であって、門扉の組み立て方を説明するための図であり、芯材及び対向する金属パネルを配置する手順を示す説明図である。
【図８】本発明の実施の形態であって、図６〜図７の手順によって組み立てられた門扉を示す図である。
【発明を実施するための形態】
【００１４】
本発明の実施形態について、図を参照しながら説明する。
【００１５】
（門扉１０）
図１の外観図が示すように、本実施形態に係る門扉１０は、表裏２枚のアルミニウム、ステンレス等の金属パネル２０を間隔をおいて対向させてなるものである。
【００１６】
そして、この金属パネル２０には、垂直方向にスリット２２が形成されている。このスリット２２は、表裏２枚の金属パネル２０の対向する位置に設けられている。このため、このスリット２２部分において、門扉１０の壁面には反対側へと貫通する開口部１１が形成されている。
【００１７】
ここで、この開口部１１は、２枚の金属パネル２０の内側に設けられた額縁部材３０によって、その内周がカバーされている。すなわち、後述するように、金属パネル２０に設けられたスリット２２の内周縁は、バーリング加工により全周に渡って内側に立ち上げられた形状となっており、これにより起立縁２１を形成している。そして、この起立縁２１を、額縁部材３０に設けられた溝部に挿入することにより、スリット２２の内周縁に額縁部材３０が固定されるようになっている。
【００１８】
（額縁部材３０）
額縁部材３０は、図２に示すように、２本の柱状部材３１と、２つの連結部材３４と、を周状に連結したものである。
【００１９】
柱状部材３１は、図３に示すように、断面コ字状の柱状の部材であり、長手方向両側面には、全長に渡り直溝３２が形成されている。このため、この直溝３２に前記した起立縁２１が挿入できるようになっている。
【００２０】
また、この柱状部材３１のコ字状の両側壁の内壁面には、図３に示すように、互いに内側方向へ突出する突起が設けられており、これにより柱状部材３１の長手方向に設けられた溝であるガイド溝３３が形成されている。後述するように、このガイド溝３３は、柱状部材３１に連結部材３４を差し込んで固定するときに、このガイド溝３３に沿って連結部材３４をスライド挿入するためのものである。
【００２１】
一方、連結部材３４は、図４及び図５に示すように、胴体部３５の両端から脚部３７が平行に突出するように設けられた部材であり、後述するように、この脚部３７がそれぞれ別の柱状部材３１の端部から嵌入されて、２本の柱状部材３１を連結するためのものである。なお、この連結部材３４の胴体部３５には、図４に示すように、曲溝３６が形成されており、この曲溝３６に前記した金属パネル２０の起立縁２１が挿入できるようになっている。
【００２２】
そして、これらの柱状部材３１と連結部材３４とは、以下のように連結される。
【００２３】
すなわち、図５に示すように、２本の柱状部材３１を平行に配置し、その一端側から連結部材３４の脚部３７側を挿入する。これにより、連結部材３４の脚部３７のそれぞれが、２本の柱状部材３１のそれぞれの内部に嵌め込まれる。このとき、連結部材３４の脚部３７は、柱状部材３１の内壁面に形成されたガイド溝３３（図３参照）に沿って嵌め込まれる。このように嵌め込み固定されることにより、柱状部材３１と連結部材３４とが連結される。
【００２４】
このような柱状部材３１と連結部材３４との連結は柱状部材３１の両端で行われ、これにより、図２に示すような額縁部材３０が形成される。すなわち、柱状部材３１と連結部材３４とで中央の開口部を囲んだ枠体としての額縁部材３０が形成される。
【００２５】
このように連結された額縁部材３０においては、図２に示すように、柱状部材３１の側面に形成された直溝３２と、連結部材３４の側面に形成された曲溝３６と、が、連続した溝部を形成するようになっている。なお、図２においては見えていないが、額縁部材３０の反対側の側面においても、直溝３２と曲溝３６とで連続した溝部が形成されている。この連続した溝部は、額縁部材３０が形成する開口部の周縁付近において設けられるようになっており、前述した金属パネル２０の起立縁２１が挿入されるようになっている。
【００２６】
（門扉１０の組み立て手順について）
次に、図６〜８を見ながら、本実施例に係る門扉１０の組み立て手順について説明する。
【００２７】
まず、図６に示すように、一方側の金属パネル２０の内面に接着剤を塗布し、上框４４、下框４５、召合縦框４１、及び吊元縦框４２を配置して枠組みを形成し、更に、その枠組みの内部に額縁部材３０を配置して、これらを金属パネル２０に接着する。
【００２８】
このとき、額縁部材３０は、前述したような連結方法により、予め連結しておいてから、金属パネル２０の上に配置する。
【００２９】
また、この額縁部材３０を配置する際には、前述したように、金属パネル２０の起立縁２１が額縁部材３０の溝部（柱状部材３１の側面に形成された直溝３２及び連結部材３４の側面に形成された曲溝３６）に挿入されるようにする。すなわち、図６に示すように、金属パネル２０のスリット２２の内周縁は、全周に渡って内側に立ち上げられて起立縁２１を形成しており、この起立縁２１が、前述した額縁部材３０の連続した溝部に挿入されるように、額縁部材３０を配置する。
【００３０】
次に、図７に示すように、予め所定の大きさ及び形状に形成された発泡体からなる芯材４０を枠組みの内部に配置するとともに、内側に接着剤を塗布したもう一方の金属パネル２０を被せる。このとき、もう一方の金属パネル２０の起立縁２１が、前述した額縁部材３０の連続した溝部に挿入されるようにする。
【００３１】
このように金属パネル２０を被せた後、マスキングテープで本体を仮止めし、ホットプレス接着する。
【００３２】
その後、角部にコーナーキャップなどを固定し、これにより、図８に示すような門扉１０が完成する。
【００３３】
以上のように、本実施形態に係る門扉１０は、開口部１１の内周をカバーする額縁部材３０を設け、この額縁部材３０の溝部に金属パネル２０の起立縁２１を挿入することとしたため、開口部１１による意匠効果を得られる。
【００３４】
しかも、額縁部材３０を、２本の柱状部材３１と、この２本の柱状部材３１を両端で連結する２つの連結部材３４と、で構成し、これらの部材を連結して、両側面に連続した溝部を形成することとしたため、額縁部材３０を一体成型する必要がなく、加工を容易とすることができる。また、額縁部材３０の加工が容易であるため、開口部１１の形状も自由に設定することができ、より意匠性の高い門扉１０を安価に製造することができる。
【００３５】
なお、上記した実施形態においては、反対側へと貫通するように開口部１１を設けたが、この開口部１１にガラスなどを嵌め込むこととしても良い。この場合、額縁部材３０の内周面にガラスを嵌め込むための溝を設けることとしても良い。
【００３６】
また、上記した実施形態においては、垂直方向にスリット２２が形成されていることとしたが、これに限らない。すなわち、水平方向や斜めにスリット２２を形成しても良い。
【符号の説明】
【００３７】
１０  門扉
１１  開口部
２０  金属パネル
２１  起立縁
２２  スリット
３０  額縁部材
３１  柱状部材
３２  直溝
３３  ガイド溝
３４  連結部材
３５  胴体部
３６  曲溝
３７  脚部
４０  芯材
４１  召合縦框
４２  吊元縦框
４３  上框
４４  下框
【図１】
2011196028.tif 000003
【図２】
2011196028.tif 000004
【図３】
2011196028.tif 000005
【図４】
2011196028.tif 000006
【図５】
2011196028.tif 000007
【図６】
2011196028.tif 000008
【図７】
2011196028.tif 000009
【図８】
2011196028.tif 000010